Podtech/llm-jp-corpus-v4-ja_patent huggingface dataset:
(57)【要約】      （修正有）【課題】フィルムシートを用いて容易に組み立てられ、かつ十分な強度を持つ動物型組立貯金箱を提供する。【解決手段】薄地のフィルムシートをトムソン型を使用して打ち抜き加工し、対になる差し込みと切り込みを有する複数の部品を作製し、接着道具なしで動物型の貯金箱を組み立てる。【選択図】図２
0003207015.tif 000002
【実用新案登録請求の範囲】
【請求項１】
薄地のフィルムシート材料に対しトムソン型を使用して打ち抜いた複数の部品を組み合わせることで、糊やテープ等の接着道具を用いる事無く簡単に動物型の貯金箱を作製できる事を特徴とする動物型組立貯金箱。
【請求項２】
薄地で透明のフィルムシート材料を使用して作成することで、完成品の任意の部分を透明にすることができ、貯金箱の中の様子を可視化できることを特徴とする動物型組立貯金箱。
【請求項３】
前記の材料に対する印刷は、オフセット印刷を用いて絵や文字、写真を印刷した請求項１に記載の動物型組立貯金箱。
【考案の詳細な説明】
【技術分野】
【０００１】  本考案は主として、フイルムシート材料に対して多目的に使用できる利便性の高いノベルティー商品に関するものである。
【背景技術】
【０００２】  従来の紙で作製していた動物型組立貯金箱は、組み立てるときに固定用の糊やテープ、シートからパーツを分離する為のはさみやカッター等の道具が必要だった。また、紙製の動物型組立貯金箱は水等の液体でぬれた場合にその品質が大きく劣化し、収納した硬貨が貯金箱の外へ溢れることがあった。
【考案が解決しようとする課題】
【０００３】  ノベルティとして本物品を手にした場合に、その場で組み立てて使用する事ができ、かつ相当量の硬貨を投入することを想定し、固定に用いる部分の構造を組みやすく、外れにくいものとした。また、耐水性の高いフィルムシートを使用する事で、水に強い商品を作製する事ができる。
【０００４】  少なからずプラスチック製品は廃棄処理の段階で環境に負荷をかけてしまうという課題を持っているが、本考案である留め具付きうちわの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  トムソンで打ち抜いた各部分の接合部分の構造を組み立てやすく、かつ外れにくくするために、フック部に切り込みを入れ、かつフィルムシートの柔軟な収縮性を利用し、接合部を噛み合わせる事で貯金箱として使用した場合の硬貨の重量にも耐える強固な構造を作り出す事ができる。
【考案実施の形態】
【０００６】  図１は本考案の動物型組立貯金箱（１）の視図である。図１で動物型組立貯金箱本体にはフック構造を持った差し込み（ｔ１）（ｔ２）（ｔ３）（ｔ４）（ｔ５）（ｔ６）（ｔ７）（ｔ８）（ｔ９）（ｔ１０）（ｔ１１）（ｔ１２）（ｔ１３）（ｔ１４）（ｔ１５）（ｔ１６）これと対になる切り込み（ｓ１）（ｓ２）（ｓ３）（ｓ４）（ｓ５）（ｓ６）（ｓ７）（ｓ８）（ｓ９）（ｓ１０）（ｓ１１）（ｓ１２）（ｓ１３）（ｓ１４）（ｓ１５）（ｓ１６）を備えた箱部分（２）、硬貨投入口（Ｓ）を持つ頭部（Ｈ）、動物の特徴を示す耳部パーツ（ｅ１）（ｅ２）、一対の腕部（ａ１）（ａ２）、組み立て後の使用を安定させるための台座（Ｄ）が大部分をトムソンで打ち抜かれ部分的にシートに固定された状態で備わっている。
【０００７】  図２は本考案の動物型組立貯金箱（１）を組み立てた完成図（Ｃ）の斜図である。この時、完成した動物型組立貯金箱（１）の頭頂部には硬貨を投入するためのスリット（Ｓ）が施されており、ここから硬貨を投入することで貯金箱として使用することが出来る。また、任意の硬貨貯留機能を持つ本体に特徴的な耳部パーツ（ｅ１）（ｅ２）、一対の腕部（ａ１）（ａ２）を加えることで任意の動物の姿を模した貯金箱として使用することができる。
【図面の簡単な説明】
【０００８】
【図１】本考案の動物型組立貯金箱の視図
【図２】図１の動物型組立貯金箱の完成図の斜図
【符号の説明】
【０００９】１    動物型組立貯金箱
２    動物型組立貯金箱の貯留部
Ｈ    頭部
Ｓ    硬貨投入スリット
ａ１  腕部１
ａ２  腕部２
ｅ１  耳部１
ｅ２  耳部２
ｓ１  スリット１
ｓ２  スリット２
ｓ３  スリット３
ｓ４  スリット４
ｓ５  スリット５
ｓ６  スリット６
ｓ７  スリット７
ｓ８  スリット８
ｓ９  スリット９
ｓ１０  スリット１０
ｓ１１  スリット１１
ｓ１２  スリット１２
ｓ１３  スリット１３
ｓ１４  スリット１４
ｓ１５  スリット１５
ｓ１６  スリット１６
ｔ１  タブ１
ｔ２  タブ２
ｔ３  タブ３
ｔ４  タブ４
ｔ５  タブ５
ｔ６  タブ６
ｔ７  タブ７
ｔ８  タブ８
ｔ９  タブ９
ｔ１０  タブ１０
ｔ１１  タブ１１
ｔ１２  タブ１２
ｔ１３  タブ１３
ｔ１４  タブ１４
ｔ１５  タブ１５
ｔ１６  タブ１６
【図１】
0003207015.tif 000003
【図２】
0003207015.tif 000004
【手続補正書】
【提出日】平成28年7月29日(2016.7.29)
【手続補正１】
【補正対象書類名】実用新案登録請求の範囲
【補正対象項目名】全文
【補正方法】変更
【補正の内容】
【実用新案登録請求の範囲】
【請求項１】
薄地のフィルムシート材料に対しトムソン型を使用して打ち抜いた複数の部品を、前記部品が有するフック構造を持った差し込みと、前記部品が有する前記差し込みと対になる切込みとを組み合わせる事で作製された動物型組立貯金箱。
【請求項２】
薄地で透明のフィルムシート材料を使用して作成することで、完成品の任意の部分を透明にすることができ、貯金箱の中の様子を可視化できることを特徴とする請求項１記載の動物型組立貯金箱。
【請求項３】
前記のフィルムシート材料に対する印刷は、オフセット印刷を用いて絵や文字、写真を印刷した請求項１に記載の動物型組立貯金箱。
(57)【要約】      （修正有）【課題】昆虫標本を全体鑑賞でき、且つ狭い場所にも保管できる昆虫鑑賞用の箱を提供する。【解決手段】昆虫標本収容ケース１を、アクリル素材を使って表裏面を透明にし、側面に関しては透明もしくは色付きで製作する。【選択図】図１
0003207012.tif 000002
【実用新案登録請求の範囲】
【請求項１】
従来の昆虫標本や植物標本用の標本箱という物がありますが、これにアクリル素材を使って、表裏側面透明化、または側面色つきで製作した全く新しいタイプの昆虫観賞用の箱を作り、表裏透明化することにより昆虫標本の表面のみならず裏面も鑑賞できて、また表裏より入る光により昆虫の細部を最大限に美しく鑑賞することができる。外見がお洒落でカラフルなアクリル素材の容器を使用することで、研究者や昆虫コレクターのみならず、一般家庭でも鑑賞用のインテリアとして使用することができる。また、単体のみからの昆虫を納められるので、形もコンパクトになり、広い保管スペースを確保することなく、室内に昆虫標本を展示することが可能となる。
【考案の詳細な説明】
【技術分野】
【０００１】  本考案は昆虫標本や植物標本収容ケース、並びに両者一体とするに関するものとそれをインテリアとして使用するものである。
【背景技術】
【０００２】  従来、研究用またはコレクション用昆虫標本や植物標本を柔らかいスポンジまたはコルク付の木製箱に固定し、鑑賞及び保管するものである。【０００３】  従来、ひとつの標本箱は大きく、数多くの昆虫標本を並べて保管するものである。【０００４】  従来、標本を鑑賞する際は上面からしか見ることができないので、昆虫標本や植物標本の胴体部及び翅などは表面しか見えない。【０００５】  従来、主に研究者、コレクター及びその関係者等限定的に鑑賞及び保管しているものである。
【考案の開示】
【考案が解決しようとする課題】
【０００６】  昆虫標本や植物標本を表裏から全体的に鑑賞、観察できる収容器。また、一般家庭では小さくコンパクトにすることにより広い保管場所がいらず、単数からでもインテリアとして鑑賞、装飾できる。
【課題を解決するための手段】
【０００７】  本考案は、昆虫標本や植物標本収容ケースを透明化もしくは側面のみ色付き樹脂で製作した小型のケースを設けることにより、昆虫標本や植物標本を全体鑑賞でき、且つ狭い場所にも保管できるため、問題点を解決している。
【考案の効果】
【０００８】  上述のように、本考案はケースを全体的に、もしくは鑑賞面を透明化することで標本の胴体部及び翅の裏表などが３６０度鑑賞できるものである。【０００９】  ケースを小型、軽量化することにより、置き型収容ケースとして一般家庭の玄関やテーブルの上に置くことが可能になり、鑑賞および飾りとして大衆化するものである。【００１０】  蓋部と本体をネジで固定することによって外気や標本害虫の侵入を防げるので、昆虫標本や植物標本に著しい劣化を与えることもなく、長期の保管が可能である。
またＵＶカットの材料（アクリル樹脂）を使用するため、昆虫標本や植物標本を密閉することにより、標本類の虫による食害や酸素による褪色を防止出来る。
【考案を実施するための最良の形態】
【００１１】  本考案は、接着剤付スポンジをケース底面に固定し、標本をそのスポンジに刺して固定、蓋をした後、固定ネジで蓋とケース本体を固定すれば、縦置き、横置きで展示することができる。【００１２】  ＵＶカットの透明材料を使用することによって、昆虫標本や植物標本を密閉することにより、標本類の虫による食害や酸素による褪色を防止出来る。
【実施例】
【００１３】  以下、添付図面に従って一実施例を説明する。
１は標本収容ケース、２は標本収容ケース蓋、３は底面の上に昆虫標本を固定する標本収容ケース本体、４は標本収容ケース側面、５は標本収容ケース蓋固定ネジ、６は標本を固定する接着テープ付スポンジ。【００１４】  上述各部品を外してから、３に昆虫標本を固定した後、２を３の上からかぶせて蓋をする。４の両側の穴に５を挿入して、しっかりと締め付け、密閉する。【００１５】  ２と３はネジで固定することにより、密閉性が保て、標本害虫の侵入を防ぐ役割も果たす。
【図面の簡単な説明】
【００１６】
【図１】本考案の標本収容ケースを示す全体組立図である。
【図２】標本収容ケース蝶々実施例図である。
【図３】本考案の標本収容ケース実施例を示す全体断面図である。
【符号の説明】
【００１７】  １    標本収容ケース
２    標本収容ケース蓋
３    標本収容ケース本体
４    標本収容ケース側面（４ａ，４ｂ）
５    標本収容ケース蓋固定ネジ（５ａ，５ｂ）
６    標本を固定する接着テープ付スポンジ
７    昆虫標本や植物標本
【図１】
0003207012.tif 000003
【図２】
0003207012.tif 000004
【図３】
0003207012.tif 000005
【手続補正書】
【提出日】平成28年7月24日(2016.7.24)
【手続補正１】
【補正対象書類名】実用新案登録請求の範囲
【補正対象項目名】全文
【補正方法】変更
【補正の内容】
【実用新案登録請求の範囲】
【請求項１】
従来の昆虫や植物用の標本箱があるが、これにアクリル素材を使って表裏面を透明にし、側面に関しては透明もしくは色つきで製作される、
（１）表裏透明化することにより昆虫標本の表面のみならず裏面も鑑賞できて、また表裏より入る光により昆虫の細部を最大限に美しく鑑賞することができる、
（２）外見がお洒落でカラフルなアクリル素材の容器を使用することで、研究者や昆虫コレクターのみならず、一般家庭でも鑑賞用のインテリアとして使用することができる、
（３）１匹から昆虫を納められるので、形もコンパクトになり、広い保管スペースを確保することなく、室内に昆虫標本を展示することが可能となる、
以上の（１）〜（３）の効果を持つ全く新しいタイプの昆虫観賞用の箱
(57)【要約】      （修正有）【課題】電気を発生させ安全にＬＥＤライトを点灯させる装置を提供する。【解決手段】錫でめっきされた容器１の中へステンレス又は銅の線２を、約細さ０、２８ｍｍ、長さ２０ｍの輪にしてまとめたものを入れ、錫でめっきされた容器１へはーの配線が、ステンレス又は銅の線２を細さ０．２８ｍｍ、長さ２０ｍを輪にしてまとめたものへは＋の配線をし、底や周りに接しないようにする。コードを割り箸４ではさみ、容器１の縁に乗せて位置を調整する。水５を没するまで入れると電気が発生し、ＬＥＤライト６を点灯することができる。【選択図】図１
0003207034.tif 000002
【実用新案登録請求の範囲】
【請求項１】
錫でめっきされた容器の中へステンレス又は銅の線、約細さ０、２８ｍｍ、長さ２０ｍの輪にしてまとめたものを入れ、錫でめっきされた容器へはーの配線が、ステンレス又は銅の線細さ０．２８ｍｍ、長さ２０ｍを輪にしてまとめたものへは＋の配線をし、底や周りに接しないようにする。コードを割り箸ではさみ、容器の縁に乗せて位置を調整する。水を没するまで入れると電気が発生する。およそ０．７Ｖぐらいの電圧なので同じものをあと２つ作り直列に繋ぐことによりＬＥＤライト（約２Ｖ用）を点灯することができる。このようにして電気を取り出しＬＥＤライトを点灯することができることを特徴とする装置である。
【考案の詳細な説明】
【技術分野】
【０００１】本考案は、電気を発生させＬＥＤライトを点灯させる装置に関するものである
【背景技術】
【０００２】ＬＥＤライトは電池または太陽光発電により点灯されていた
【先行技術文献】
実用新案登録第３２０３９１６号  電気を発生させめっきを剥離する装置
【考案の概要】
【考案が解決しようとする課題】
【０００４】ＬＥＤライトは電池または太陽光発電により点灯する方法がとられていた
従ってこの方法は安価な素材で安全に点灯することを可能とするものである。
【課題を解決するための手段】
【０００５】本考案はー電極を容器にすることにより、容器そのものにコードを繋ぐことができ、安価な素材でＬＥＤライトを点灯させることができ問題点を解決している。【０００６】  上述のように本考案の電気を発生させＬＥＤライトを点灯させる装置は、溶媒も水であり安価で安全に使用することができる。
【図面の簡単な説明】
【０００７】
【図１】本考案の電気を発生させ、ＬＥＤライトを点灯させる装置で、一実施例を示す正面からの断面図である
【考案を実施するための形態】
【０００８】  錫めっきの容器にステンレスの線、約細さ０．２８ｍｍ、長さ２０ｍの輪にしてまとめたものをクリップ付きコードの片方にはさみ入れる。底に着かないように割り箸でコードをはさみ調整する。同じものをもう２つ作り直列に配線する。一方の容器からのコードをＬＥＤライトの片側に、３つ目のステンレスの線をはさんであるコードをＬＥＤライトのもう片側に繋ぐ。次に各容器の中にステンレスの線が没するように水を注ぎ入れれば、ＬＥＤライトが点灯する。
【実施例】
【０００９】  以下、添付図面に従って一実施例を説明する。１は錫めっきされた容器、２はステンレス約細さ０．２８ｍｍ、長さ２０ｍの線、３はクリップ付きコード、４は割り箸、５は水である。このように配線をして６のＬＥＤライト（２Ｖ用）に繋ぐとＬＥＤライトが点灯する。【００１０】  本考案の一実施例は上述の如き構成からなるものであるから、ＬＥＤライトを点灯することができる。
【符号の説明】
【００１１】１、  容器（錫めっき）
２、  ステンレスの線
３、  クリップ付きコード
４、  割り箸
５、  水
６、  ＬＥＤライト（２Ｖ用）
【図１】
0003207034.tif 000003
(57)【要約】      （修正有）【課題】ＬＥＤソーラー投光器の充電池として、乾電池式充電池を使用することにより、充電池を有効活用することができるＬＥＤソーラー投光器を提供する。【解決手段】ソーラーパネル３に、道具を使用せず蓋が開閉可能で汎用的な乾電池式充電池に充電する機能を有する充電池収納ボックス４を設けることにより、汎用的な乾電池式充電池にソーラーパネルで発電された電気を充電できるようにすることで、充電された充電池を本投光器以外の機器や設備で利用できるようにした。【選択図】図２
0003207027.tif 000002
【実用新案登録請求の範囲】
【請求項１】
充電池に汎用的な乾電池式充電池を使用することで、充電池を他の機器や設備に利用できるようにしたところを特徴とするＬＥＤソーラー投光器。
【考案の詳細な説明】
【技術分野】
【０００１】
本考案は、乾電池式充電池への充電機能を備えたＬＥＤソーラー投光器に関するものである。
【背景技術】
【０００２】
充電池を備えたＬＥＤソーラー投光器において、備えられた充電池はその設備専用のもので、充電された充電池を他の機器や設備で使用することができなかった。
【考案の概要】
【考案が解決しようとする課題】
【０００３】
ＬＥＤソーラー投光器において、充電池をその設備専用の特殊な充電池を使用していた場合、充電された充電池を他の機器や設備に利用することが難しいため、充電池を汎用的な乾電池式の充電池を使用することで前述の欠点を解決しようとするものである。
【課題を解決するための手段】
【０００４】
本考案は、ソーラーパネルにより発電した電気を蓄電するための充電池に、汎用的な乾電池式充電池を使用することにより、充電された充電池を、同様の乾電池式充電池を使用する機器や設備で使用できるようにし、且つ、その充電池を格納するボックスを道具を使用せず開閉できるようにすることにより、問題点を解決している。
【図面の簡単な説明】
【０００５】
【図１】本ＬＥＤソーラー投光器のＬＥＤ投光器ユニットを示す図である。
【図２】本ＬＥＤソーラー投光器のソーラーパネルユニットを示す図である。
【図３】乾電池式充電池の収納ボックスの蓋が閉じられた状態のソーラーパネル背面を示す図である。
【図４】乾電池式充電池の収納ボックスの蓋が開かれた状態のソーラーパネル背面を示す図である。
【符号の説明】
【０００６】
１  ＬＥＤ投光器
２  ソーラーパネルユニット接続ケーブル
３  ソーラーパネル
４  乾電池式充電池収納ボックス
５  ＬＥＤ投光器ユニット接続ケーブル
６  乾電池式充電池収納ボックス本体
７  乾電池式充電池収納ボックス蓋
【図１】
0003207027.tif 000003
【図２】
0003207027.tif 000004
【図３】
0003207027.tif 000005
【図４】
0003207027.tif 000006
【手続補正書】
【提出日】平成28年8月4日(2016.8.4)
【手続補正１】
【補正対象書類名】実用新案登録請求の範囲
【補正対象項目名】全文
【補正方法】変更
【補正の内容】
【実用新案登録請求の範囲】
【請求項１】
ソーラーパネルに、道具を使用せず蓋が開閉可能で汎用的な乾電池式充電池に充電する機能を有する充電池収納ボックスを設けることにより、汎用的な乾電池式充電池にソーラーパネルで発電された電気を充電できるようにすることで、充電された充電池を本投光器以外の機器や設備で利用できるようにしたところを特徴とするＬＥＤソーラー投光器。
(57)【要約】      （修正有）【課題】回路への電力供給のロスが少なく、自動車の性能を向上させることができる自動車用ヒューズを提供する。【解決手段】ヒューズ端子の車両側端子との非接触部を合成樹脂を含有する絶縁材により被覆し、ヒューズ端子中央部の車両側端子との接触部に超微粒子カーボン素材を塗布することで接触抵抗の低減を図る。自動車の性能を大幅に向上させることができる。【選択図】図２
0003207026.tif 000002
【実用新案登録請求の範囲】
【請求項１】
端子のうち、車両側端子との非接触部が、合成樹脂を含有する絶縁材により被覆されている自動車用ヒューズ。
【請求項２】
前記端子のうち、車両側端子との接触部に、超微粒子カーボン素材が塗布されている、請求項１に記載の自動車用ヒューズ。
【請求項３】
端子のうち、車両側端子との接触部に、超微粒子カーボン素材が塗布されている、自動車用ヒューズ。
【考案の詳細な説明】
【技術分野】
【０００１】本考案は、自動車用ヒューズに関するものである。
【背景技術】
【０００２】従来の自動車用ヒューズは、ハウジングとハウジングから露出した一対の端子と、両端子間に接続された溶断部をハウジング内部に配設しており、回路の短絡時においては、溶断部が溶断することによって、入力端子と出力端子の導通が遮断されることで、各種電気機器に過電流が流れることを防止するものである。
【考案の概要】
【考案が解決しようとする課題】
【０００３】この従来の自動車用ヒューズは、金属端子が露出しているため、通電状態において空気中への放電を伴い、回路に供給される電力を消耗してしまう。【０００４】自動車用ヒューズは端子表面には凹凸があり、車両側端子との間で接触抵抗があり電圧降下を起こしてしまっている。
【課題を解決するための手段】
【０００５】本考案に係る自動車用ヒューズは、ハウジングと、一端側が該ハウジングの内部に保持され、他端側が外方突出状に配設された一対の端子と、を有する自動車用ヒューズにおいて、上記一対の端子先端部および側面に、合成樹脂を用いて絶縁処理を施す。【０００６】自動車用ヒューズの端子表面の凹凸と、車両側端子表面の凹凸を埋めるため、超微粒子カーボン素材を、自動車用ヒューズ端子表面に塗布し、装着状態において、接触抵抗を軽減する。
【考案の効果】
【０００７】本考案は、次のような著大な効果を奏する。【０００８】自動車用ヒューズの端子先端部、側面に絶縁処理を施すことにより、回路への電力供給のロスがすくなく、例えばヘッドライトの光量を増加させることができる。
光量の増加は、ヘッドランプテスターで確認することができる。【０００９】自動車用ヒューズの端子接触部に高電導素材である超微粒子カーボン素材を塗布し接触抵抗を低減することにより、回路への電力供給ロスがすくなく、例えばヘッドライトの光量を増加させることができる。
光量の増加は、ヘッドランプテスターで確認することができる。
【図面の簡単な説明】
【００１０】
【図１】自動車用ヒューズの正面図である。
【図２】自動車用ヒューズを斜めから見た図である。
【図３】自動車用ヒューズを車両に装着した状態の図である。
【考案を実施するための形態】
【００１１】自動車用ヒューズは、ハウジングとハウジングから露出した一対の端子と、両端子間に接続された溶断部をハウジング内部に配設しており、回路の短絡時においては、溶断部が溶断することによって、入力端子と出力端子の導通が遮断されることで、各種電気機器に過電流が流れることを防止するものであり、なんら空気中への放電を防止する構造を持たないものが一般的で、かつ端子そのものの表面は微細な凹凸により、接触抵抗を起こしているのが一般的である。
【００１２】ハウジングから露出した一対の端子において、車両への装着時、車両側端子との非接触部に、合成樹脂を含有した絶縁材より被覆する。
【００１３】前記の端子において、車両への装着時、車両側端子との接触部に、超微粒子カーボン素材を塗布する。
【符号の説明】
【００１４】１    ヒューズ本体
２    ハウジング
３    溶断部
４    一対の端子のうち片側
４１  ３の先端より１〜２ｍｍの範囲
４２  ３の側面のうち、全体の外側部
４３  ３の側面のうち、全体の内側部
５    一対の端子のうち他の片側
５１  ４の先部より１〜２ｍｍの範囲
５２  ４の側面のうち、全体の外側部
５３  ４の側面のうち、全体の内側部
６    一対の端子を挟みこむ形の車両側端子の片側
７    車両側端子のうち、片側
【図１】
0003207026.tif 000003
【図２】
0003207026.tif 000004
【図３】
0003207026.tif 000005
(57)【要約】      （修正有）【課題】授乳する際に、前足で母親の腹部に似た弾力を持った突起物を揉ますことにより、授乳者が癒し効果を得る哺乳瓶取付け玩具を提供する。【解決手段】哺乳瓶取付け玩具はプラスチックの板状のベース２に哺乳瓶を通す穴７を挟んで左右に半球形の突起物３を配置している。突起物３は表面が革や布などに被覆され、中にスポンジや合成繊維の綿などのクッション４が内蔵されている。【選択図】図１
0003207021.tif 000002
【実用新案登録請求の範囲】
【請求項１】
哺乳瓶取付け玩具はプラスチックの板状のベースに哺乳瓶を通す穴を挟んで左右に半球形の突起物を配置している。突起物は表面が革や布などに被覆され、中にスポンジや合成繊維の綿などのクッションが内蔵されているペット用の玩具である
【考案の詳細な説明】
【技術分野】
【０００１】  本考案は、子猫や子犬のペットが授乳の際、母親の腹部に見立てて揉む習性を再現する癒しの玩具である。
【背景技術】
【０００２】  哺乳瓶で子猫や子犬のペットが授乳する際に、指を開いたり閉じたりを繰り返して揉む仕草を見せる。母親から授乳する際の乳の出を良くするために母親の腹部を刺激する習性である。
【先行技術文献】
【特許文献】
【０００３】
【特許文献１】
【非特許文献】
【０００４】
【非特許文献１】
【考案の概要】
【考案が解決しようとする課題】
【０００５】  子猫や子犬のペットが哺乳瓶から授乳する際、指の屈伸を繰り返して揉む仕草を見せる。これは母親から授乳する際の乳の出を良くする習性であり、見る者に癒しの効果を与える。この習性を、玩具を用いて具体的に再現するものである。
【課題を解決するための手段】
【０００６】  本考案は、子猫や子犬のペットが授乳の際、哺乳瓶を挟んで左右に配置した半球形の突起物に、両前足が触れる位置にあり、左右均等に力を分散して、バランスよく揉む仕草が見られる。突起物を母親の腹部と似た感触を持たせることにより、癒しの仕草を再現できる玩具である。
【考案の効果】
【０００７】  上述の様に、本考案の哺乳瓶取付け玩具は子猫や子犬のペットが授乳の際、母親の腹部に見立てて揉む習性を再現するものであるが、飼い主と癒し効果を共有することで親密なコミニケイションが成立し、飼い主とペットの絆をより強く結ぶことが可能になる。
【図面の簡単な説明】
【０００８】
【図１】本取付け玩具の全体図である。
【図２】本考案の取付け玩具を設置した哺乳瓶の正面図である。
【考案を実施するための形態】
【０００９】  哺乳瓶取付け玩具は、子猫や子犬のペットが授乳の際、哺乳瓶の吸い口に口を付けた時、前足が突起物に触れる位置にあり、母親の腹部に見立てて前足の指を屈伸させて揉む仕草を無理なく再現させられる。母親の腹部に似せた突起物は、子猫や子犬のペットが爪を立てて揉んでも容易に破損しないよう表面が革や頑丈な布などに被覆され、中にスポンジや合成繊維の綿などのクッションが内蔵されている。
【実施例】
【００１０】  以下、添付図面に従って一実施例を説明する。取付け玩具の本体で耐久性のプラスチック等適宜素材にて形成された２の板状のベースである。３は母親の腹部の感触に似た弾力のある突起物。４は突起物の被覆、ペットが爪を立てて揉むので頑丈な革や布製で構成する。５は突起物に内蔵されたクッションでスポンジや合成繊維の綿である。【００１１】  開口部７は哺乳瓶に取り付ける場合に哺乳瓶を通し、キャップで固定又は分解が可能で、洗浄や殺菌に便利である。また、ペットにより、不可抗力で破損した場合は部分交換ができる。
接着で結合一体化した場合は取り扱いが安易である。
【符号の説明】
【００１２】１  哺乳瓶本体
２  取付け玩具のベース
３  突起物
４  内部クッション
５  突起物の被覆
６  キャップ
７  開口部
【図１】
0003207021.tif 000003
【図２】
0003207021.tif 000004
【手続補正書】
【提出日】平成28年7月29日(2016.7.29)
【手続補正１】
【補正対象書類名】実用新案登録請求の範囲
【補正対象項目名】全文
【補正方法】変更
【補正の内容】
【実用新案登録請求の範囲】
【請求項１】
プラスチックの板状のベースに哺乳瓶を通す穴を挟んで左右に半球形の突起物を配置したことを特徴とする哺乳瓶取付け玩具。
(57)【要約】      （修正有）【課題】時計そのものに頭脳を鍛える能力を加え、その利用の機会が無数にしかも気楽に得られる、頭脳の活性化のためになる時計を提供する。【解決手段】機械式または電池式で、円または楕円形の文字板の数字が左右反転の裏文字で左回りに配列され、時針３及び分針４、または、時針３、分針４及び秒針を有して、すべての針をそれぞれ左回転させることにより、あたかも裏側から観測しているかのように思わせ、考える力を増強することができる。１日に何回でも、なんら用具、用紙、筆記具など使わず利用できる。観測に疲労を感じた場合には、鏡に写すか、窓ガラスなどに写った画像を見るなどすれば、針の動きを含めて、通常の時計として観察できる。【選択図】図２
0003207024.tif 000002
【実用新案登録請求の範囲】
【請求項１】
機械式または電池式で、円または楕円形の文字板の数字が左右反転の裏文字で左回りに配列され、時針、分針、秒針がすべて左回転である、指針回転式のすべての時計。ただし秒針は割愛も有り得る。
【考案の詳細な説明】
【技術分野】
【０００１】  本考案は、従来の文字、及び指針の回転方向を変えた時計に関するものである。
【背景技術】
【０００２】  一般に、私たちが時刻を知るために時計を利用するが、いずれも文字盤の数字は右回りで描かれており、指針の動きも時針、分針、秒針ともに右回転である。
【考案の概要】
【考案が解決しようとする課題】
【０００３】  従来の時計の構造はあまりにも平凡であり、円形の文字盤を備えた時計では時刻をを知る為に、特に考える必要もなく文字盤と指針の位置を一瞥するのみでよく、これが現在の常識といえる。それを覆すのが本考案で、円形の文字盤の数字が左回りに配列され、時刻を示す指針の回転も左回りになるよう考えられ、利用者の頭脳の訓練を気楽に促進しようとするものである。
【課題を解決するための手段】
【０００４】  本考案は、指針の回転により時刻を知る通常の時計であるが、機能をより進化させるため時刻を示す数字を、左右が逆の反転文字とし、文字を左回転の位置に配置したもので時計を裏から見るもことになる。指針は時針、分針、秒針とも、回転速度は、普通の時計と同じであるが、すべて、左回転になるよう作られる。このようにして、この時計は形状、動きともに、裏から眺める時計として誕生することになる。
【考案の効果】
【０００５】上述の様に文字の形態と配置、独特の指針の回転方向により、時刻を読み取る行為そのものが頭脳の訓練となり、１日に何回でも、特に用具なと使用することなど必要なく  実に気楽に行うことができ、ほとんど無意識のうちに効果を高めることが期待できる。そのため、文字板で使用される数字が即座に識別できる書体であることが望まれる。そのために本考案では、裏文字であることが分かりやすいアラビア数字（１、２、３…）または逆回転であることが分かるローマ数字（Ｉ、ＩＩ、ＩＩＩ…）を使うことにする。この時計にはもう一つ別の利点がある。それは鏡に写る画像、窓ガラスに写る画像が通常のものになることであり、これも一つの効果である。
【図面の簡単な説明】
【０００６】
【図１】本考案である時計の文字板を示す正面図である。
【図２】時計が完成、左回りの指針が作動する想像図である。
【考案を実施するための形態】
【０００７】  使用する時計は機械時計または電池時計で、いずれも回転式、文字板は円形、またはは楕円形であること。時刻を示す文字板の数字は図１のように、左回りの配列で、書体はすべて左右反転の裏文字であることが必要である。時針、分針、秒針は回転速度はそれぞれ、通常の時計と同じであるが、回転方向がすべて逆の左回りの反時計方向であることが条件となる。だだし秒針は機能の単純化、明快化のため割愛することもありある。図２では、時針、分針のみの例として挙げたものである。
【符号の説明】
【０００８】１  時計の文字板
２  文字板に記された数字
３  時針
４  分針
【図１】
0003207024.tif 000003
【図２】
0003207024.tif 000004
【手続補正書】
【提出日】平成28年7月29日(2016.7.29)
【手続補正１】
【補正対象書類名】実用新案登録請求の範囲
【補正対象項目名】全文
【補正方法】変更
【補正の内容】
【実用新案登録請求の範囲】
【請求項１】
機械式または電池式で、円または楕円形の文字板の数字が左右反転の裏文字で左回りに配列され、時針及び分針、または、時針、分針及び秒針を有して、すべての針が左回転であることを特徴とする時計。
(57)【要約】      （修正有）【課題】電源プラグを交換することにより車内にて使用できる電気毛布を提供する。【解決手段】カー電気毛布は、毛布のコネクターに接続されるプラグアダプター３が設けられ、車のシガーソケット５に差し込まれるシガープラグ１と接続されたアダプター２がプラグアダプター３と接続可能な構造を特徴とする。【選択図】図２
0003207009.tif 000002
【実用新案登録請求の範囲】
【請求項１】
電気毛布の電源プラグの先端をシガープラグ（１）を設け（２）アダブター（３）プラグアダブターへ差し込み（４）毛布へ接続（１）シガープラグを（５）シガソケットへ接続する力−電気毛布である。
【考案の詳細な説明】
【技術分野】
【０００１】この考案は電気毛布の電源プラグの部分をカーシガープラグに換えて、シガーソケットに差し込んで使用するものである。
【考案の開示】
【０００２】従来の電気毛布と電気カーペットは一般家庭のリビングや部屋にて使用、この考案は電気毛布の電源プラグをシガープラグに取り換え、車のシガーソケットに差し込み車にて使用
【考案が解決しょうとする課題】
【０００３】従来電氣毛布は家庭にて使用電源プラグをシガープラグに替えることにより車内にて使用
【課題を解決するための手段】
【０００４】シガープラグ（１）を設け（１）シガープラグを（２）シガーソケット（２）へ差し込む本考案は、以上の構造による力−電気毛布である。
【考案の効果】
【０００５】電気毛布の電源プラグをシガーソケットに替えることで車で使用寒い日の車内を快適にする。
【実施例】
【０００６】以下本考案を実施するための形態について説明
（１）シガープラグ（２）アダブター（３）プラグアダブター（４）毛布（５）シガーソケットシガープラグ（１）の電源コードの先端（２）アダブタを（３）プラグアダブターへ差し込み（４）毛布へ接続（１）シガープラグを（５）シガーソケットへ接続
【図面の簡単な説明】
【０００７】
【図１】シガープラグとシガーソケット部分を示した平面図である。
【図２】考案したシガープラグ使用状況をしめす平面図である。
【符号の説明】
【０００８】１  シガープラグ
２  アダブター
３  プラグアダブター
４  毛布
５  シガーソケット
【図１】
0003207009.tif 000003
【図２】
0003207009.tif 000004
【手続補正書】
【提出日】平成28年6月23日(2016.6.23)
【手続補正１】
【補正対象書類名】実用新案登録請求の範囲
【補正対象項目名】全文
【補正方法】変更
【補正の内容】
【実用新案登録請求の範囲】
【請求項１】
カー電気毛布において  コネクターが設けられ当該コネクターと接続されるプラグアダプターが設けられており車のシガーソケットに差し込まれるシガープラグと接続されたアダプターが当該プラグアダプターと接続可能な構造を特徴とするカー電気毛布
(57)【要約】      （修正有）【課題】就寝時に腰当のずれを気にしなくて済み、熟睡の状態で腰部保温と腰椎の前湾形状の保持を可能とするクッション付の腹巻を提供する。【解決手段】就寝時に使用する腰椎支持のクッション付腹巻であって、クッション３が腹巻本体１に着脱可能に付帯されることを特徴とする。腹巻本体１は、袋状のクッション収納部２を有し、クッション収納部２内に厚さの異なるクッション３、４を選択して、単体として又は複数個同時に着設が可能である。【選択図】図２
0003207067.tif 000002
【実用新案登録請求の範囲】
【請求項１】
就寝時に使用するクッション付腹巻であって、
前記腹巻は袋状のクッション収納部を有し、
前記クッションは厚さが異なる少なくとも２のクッションが用意されていて、
前記クッションは単体として又は複数個同時に前記クッション収納部に着脱自在に収納が可能であることを特徴とする腹巻。
【考案の詳細な説明】
【技術分野】
【０００１】
本考案は、就寝時に使用する腰椎クッション腹巻に関する。
【背景技術】
【０００２】
腰痛や坐骨神経痛を治療する方法としては、薬物投与、腰回りのストレッチ運動、マッサージ等の整体療法があるが、通常、手軽に行われるものとして、就寝時の保温対策と腰椎の前湾形状の保持が挙げられる。具体的には、腹巻等を装着して腰を冷やさないようにしたうえで、横になったとき床面から浮く腰椎のあたりに薄めのクッションを敷き、前湾形状の腰椎と床面との隙間を埋めることにより、腰椎と骨盤にかかる負担を軽減する。
【０００３】
一方、痛みや痺れ等の症状はないが、普段の姿勢の悪さを指摘される人たちがいる。猫背で前かがみの姿勢は、他人に与える印象が悪いだけでなく、起立時に構造的に下半身に負担かかるため、放置しておくと、膝痛や腰痛の原因にもなる。このような姿勢を矯正するには、起立状態での垂直姿勢維持のほか、就寝時においても脊椎及び腰椎の適正な状態を保持する必要がある。
【考案の概要】
【考案が解決しようとする課題】
【０００４】
前述の腰痛や坐骨神経痛の治療や前かがみの姿勢の矯正には、就寝時に腹巻をしたうえで腰の下に座布団等の腰当を敷いて寝るのが効果的であるが、なかなか適当な厚さの腰当を見つけられなかったり、夜中に腰当がずれるため、何度も目を覚まして腰当の位置を修正・調節する必要が生じる。
【０００５】
上述の問題に鑑み、本考案は、就寝時に腰当のずれを気にしなくて済み、熟睡の状態で腰部保温と腰椎の前湾形状の保持を可能とするクッション付の腹巻を提供することを課題とする。
【課題を解決するための手段】
【０００６】
上記課題を解決するために、本考案に係る腹巻は、就寝時に使用する腰椎支持のクッション付腹巻であって、前記腹巻は袋状のクッション収納部を有し、前記クッションは厚さが異なる少なくとも２のクッションが用意されていて、前記クッションは単体として又は複数個同時に前記クッション収納部に着脱自在に収納が可能であることを特徴とする。
【考案の効果】
【０００７】
本考案に係るクッション付の腹巻を使用すれば、就寝時に腰当のずれを修正する必要がなく、熟睡した状態で腰部保温と腰椎の前湾形状の保持ができ、早期の腰痛、坐骨神経痛等の治癒と姿勢の矯正が可能となる。
【０００８】
本考案に係るクッション付の腹巻は、厚さの異なる複数のクッションを選択的に単体で又は複数個同時に着脱できるため、使用者の体形や症状に合わせて腹巻を使用することが可能となる。
【図面の簡単な説明】
【０００９】
【図１】本実施形態に係るクッション付腹巻の構成と形状を示す概略図である。
【図２】本実施形態に係るクッション付腹巻の写真である。
【図３】本実施形態に係るクッション付腹巻の使用形態を示す写真である。
【考案を実施するための形態】
【００１０】
以下、本考案のクッション付腹巻の実施形態について図を用いて説明する。
【００１１】
本実施形態に係るクッション付腹巻は、図１及び２に示すように、帯形状の本体１を基本形とし、その一端の表面に吸着部Ａ１１を、他端の裏面に吸着部Ｂ１２を有する。吸着部Ａ１１及び吸着部Ｂ１２は面ファスナーのフック部とループ部の構成により、装着時に使用者の腹部上で吸着し環状の腹巻を形成する（図３）。
【００１２】
本体１の中央（腹巻装着時には使用者の背側となる箇所）には袋状のクッション収納部２が設置されており、使用者はあらかじめ用意された複数のクッションの中から自分の体形や症状に適した厚さのものを選択し、収納部２内に収納する。
【００１３】
クッション収納部２の開閉は、開口部２１の内側に向かい合って設置された吸着部Ｃ２２及び吸着部Ｄ２３の面ファスナー機能によって行われる。収納するクッションは単体でもよいし、また、複数のクッションの組合せとすることも可能である。図２の例では、クッション３とクッション４が準備されている。
【００１４】
本体１及びクッション３，４の素材は、本実施形態においては装着感の良さを重視し、綿を採用しているが、伸縮性のある化学繊維とすることも可能である。その場合においても、クッション３，４については低反発性の素材とすることが望ましい。
【符号の説明】
【００１５】
１      腹巻本体
１１    吸着部Ａ（面ファスナーフック部）
１２    吸着部Ｂ（面ファスナーループ部）
２      クッション収納部
２１    開口部
２２    吸着部Ｃ（面ファスナーフック部）
２３    吸着部Ｄ（面ファスナーループ部）
３      クッションＡ
４      クッションＢ
【図１】
0003207067.tif 000003
【図２】
0003207067.tif 000004
【図３】
0003207067.tif 000005
(57)【要約】      （修正有）【課題】トリートメント時に、動物の濡れた毛の乾燥が容易であり、抜け毛処理も同時に行うことができる電動器具を提供する。【解決手段】回転ブラシ２、ドライヤー３を有し、電気掃除機の吸引を利用することを特徴とし、回転ブラシ２はブラシスイッチ１０のＯＮにより作動し、ドライヤー３はドライヤースイッチ１１第一段のＯＮによりスプリングでプーリー８をベルトに押しつけることで送風され第二段のＯＮにより温風となり、抜け毛処理をし、また抜け毛処理およびドライヤー３を同時に使用することができ、さらに一台のモーター４で回転ブラシ２とドライヤー３を用途別に使用することもできる。【選択図】図１
0003207047.tif 000002
【実用新案登録請求の範囲】
【請求項１】
回転するブラシ、ドライヤーを有し、電気掃除機の吸引を利用することを特徴とする、動物の抜け毛処理、抜け毛処理と毛の乾燥を同時に出来る電動器具。
【請求項２】
回転ブラシはブラシスイッチのＯＮにより作動し、ドライヤーはドライヤースイッチ第一段のＯＮによりスプリングでプーリーをベルトに押しつけることで送風され第二段のＯＮにより温風となり、抜け毛処理をし、また抜け毛処理およびドライヤーを同時に使用することができ、さらに一台のモーターで回転ブラシとドライヤーを用途別に使用することもできる請求項１記載の電動器具。
【請求項３】
回転するブラシ、ドライヤーを有する器具に電気掃除機のホースをつなげたとことを特徴とする請求項１、請求項２記載の電動器具。
【考案の詳細な説明】
【考案の概要】
【考案が解決しようとする課題】
【０００１】動物の毛は、抜け毛やドライヤーで乾燥時に飛散し、また乾燥時の作業も時間がかかるという問題点があった。
【課題を解決するための手段】
【０００２】抜け毛処理はブラシスイッチのＯＮにより作動させ、ハンドルを持ち回転するブラシを毛元部にあて抜け毛を浮かせ、空気吸い込み口を移動しながら電気掃除機で吸引し、またトリートメント時に濡れた毛の乾燥及び抜け毛処理はブラシスイッチのＯＮに加え、ドライヤースイッチ第一段のＯＮによりプーリーをスプリングでベルトＢに押しつけることにより送風され第二段のＯＮにより温風となり、ハンドルを持ち回転するブラシを毛元部にあて吸い込み口を移動しながら乾燥し、浮いた抜け毛を電気掃除機の吸引を利用し作業する。
【考案の効果】
【０００３】回転するブラシでういた抜け毛を電気掃除機で吸引するため毛の飛散量は少なく、またトリートメント時に濡れた毛の乾燥が容易であり抜け毛処理も同時にするため飛散量も少なくなり、更に短時間でこれらの作業を行うことができる。
【図面の簡単な説明】
【図１】回転ブラシ、ドライヤー、電気掃除機を一体化したことを示した図である。
【符号の説明】▲１▼電動器具本体
▲２▼回転ブラシ
▲３▼ドライヤー
▲４▼モーター
▲５▼電気掃除機ホース
▲６▼ベルトＡ
▲７▼ベルトＢ
▲８▼プーリー
▲９▼スプリング
▲１０▼ブラシスイッチ
▲１１▼ドライヤースイッチ
▲１２▼ドライヤー空気取り入れ口
▲１３▼ヒーター
▲１４▼空気すいこみ口
▲１５▼電源コード差込み口
▲１６▼ハンドル
【図１】
0003207047.tif 000003
(57)【要約】      （修正有）【課題】硬い床のみならず、弾力のある布団やベッドの上であっても、また、腰部や背中に数個所のつぼがあり、しかも、各人の体格の相違があっても、二個の球体を腰つぼに押し当てることによって、腰痛を解消することができる腰つぼスライドボールを提供する。【解決手段】弾力のあるソフトボールの球程度の大きさを有する二個の球体２の球芯を貫通する孔４にプラスチック等の硬い素材からなる棒３を通して連結し、かつ、これら二個の球体２を腰つぼに合わせた間隔を保有して配置し固定したものであって、また、これら二個の球体２の保有する間隔を腰つぼに合わせて調節して固定するために、いずれか一個の球体２の球芯に内蔵し、かつ、球面にスイッチ６を延伸したコードストッパー５を設置した、腰つぼに押し当てる健康器具１、という構成からなっている。【選択図】図１
0003207044.tif 000002
【実用新案登録請求の範囲】
【請求項１】
弾力のあるソフトボールの球３号程度の大きさを有する二個の球体の球芯を貫通した孔にプラスチック等の硬い素材からなる棒を通して連結したものであって、これら二個の球体を腰つぼに合わせた間隔を保有して配置し固定した、腰つぼに押し当てる健康器具。
【請求項２】
二個の球体の保有する間隔を腰つぼに合わせて調節するために、いずれか一個の球体の球芯に内蔵し、かつ、球面にスイッチを延伸したコードストッパーの設置を特徴とした、請求項１の腰つぼに押し当てる健康器具。
【考案の詳細な説明】
【技術分野】
【０００１】  本考案は、二個の球体を腰つぼに押し当て腰痛の解消を図る健康器具に関する。
【背景技術】
【０００２】  東洋医学のつぼ療法は、腰部や背中にある数個所のつぼを押して腰痛を治療するものである。治療効果を引き出すために、従来、いろいろな健康器具があった。
二個の球体を腰つぼに押し当てる健康器具は、簡易かつ有効な器具として実際に使用されている。これは、テニスやゴルフのボール大の二個の球体を適度に配置して、これらを接着し、布に包み、あるいは、台座に置いて固定し、また、紐やゴムで連結して固定したものである。
【考案の開示】
【考案が解決しようとする課題】
【０００３】  本考案の解決しようとする問題点は、次の通りである。【０００４】  先ず、テニスやゴルフのボール大の球体は、硬い床の上では効果もあるが、弾力のある布団やベッドの上で使用しても、布団やベッドに深く沈み込み、押し当てる効果が減殺することになる。
次に、東洋医学では、腰部や背中には数個所のつぼが広く左右バランスよく並んでいるし、また、使用する人の体格も様々である実態を考慮すると、それぞれのつぼに合わせて押し当て、腰痛の解消を図ることが必要である。
最後に、二個の球体を接着し、布に包み、あるいは、台座に固定した器具について、最初から間隔を置いて配置し固定しているので、この間隔を変えて別の腰つぼに押し当てることができない。
また、二個の球体を紐やゴムで固定する器具について、使用する人が最初の使用時に腰つぼを探して二個の球体の間隔を定めたとしても、その後、この間隔は元に戻り、次の使用時に再び腰つぼを探す必要がある。しかも、腰や背中のつぼに押し当てることはできても、首のつぼにまで押し当てることはできない。
【課題を解決するための手段】
【０００５】  本考案の解決する手段は、次の通りである。【０００６】  先ず、弾力のあるソフトボールの球３号程度の大きさを有する二個の球体（２）の球芯を貫通した孔（４）にプラスチック等の硬い素材からなる棒（３）を通して連結したものであって、これら二個の球体（２）を腰つぼに合わせた間隔を保有して配置し固定した、腰つぼに押し当てる健康器具（１）である。
次に、これら二個の球体（２）の保有する間隔を腰つぼに合わせて調節するために、いずれか一個の球体（２）の球芯に内蔵し、かつ、球面に延伸したスイッチ（６）を有するコードストッパー（５）を設置した、腰つぼに押し当てる健康器具（１）である。
【考案の効果】
【０００７】  本考案の効果は、次の通りである。【０００８】  先ず、二個の球体（２）をテニスやゴルフに使用する小さな球ではなく、ソフトボールの球３号程度の大きさとするので、硬い床の上のみならず、弾力のある布団やベッド（７）の上でも、効果的に使用できる。硬い床の上では耐えられない者、例えば、疲労した者や寝たきりの者でも使用できる。
次に、二個の球体（２）を硬い棒（３）で連結し、かつ、コードストッパー（５）を用いているので、球体（２）の保有する間隔を腰つぼに合わせて調節して固定することができる。腰部や背中の数か所あるつぼに押し当て、また、使用する人（８）の様々な体格に合わせられるので、腰痛を治療する効果があがる。
更に、腰や背中のつぼに効果があるだけではなく、首のつぼにも効果があり、また、リクライニングベッドのような傾斜する床や椅子でも使用することができる。
【図面の簡単な説明】
【０００９】
【図１】  本考案に係る健康器具を正面からみた断面図である。
【図２】  本考案に係る健康器具を使用する状態を示す図面である。
【符号の説明】
【００１０】  １  健康器具
２  球体
３  棒
４  穴
５  コードストッパー
６  スイッチ
７  布団・ベッド
８  人体
【考案を実施するための形態】
【００１１】  本考案の実施の形態である。
【００１２】  先ず、本考案に係る健康器具（１）の構成である。これは、二個の球体（２）を棒（３）もって腰つぼに合わせて配置した健康器具（１）である。
二個の球体（２）は、弾力のある材質であり、かつ、ソフトボールの球３号程度の大きさとする。ソフトボールの球は、市販のものでもよいが、二個の球体（２）の球芯には孔（４）を貫通する必要がある。
棒（３）は、プラスチック等の材質からなるもので、市販されているものでよいが、ある程度硬い材質であることを必要とする。この棒（３）を二個の球体（２）を貫通した孔（４）に通して連結する。
いずれか一個の球体（２）の球芯にコードストッパー（５）を設置する。その結果、球芯を通る棒（３）は、コードストッパー（５）の穴をも通ることになる。コードストッパー（５）は市販されているものでよいが、スイッチ（６）の部分を延伸して球面に出す必要がある。そうしないと、スイッチ（６）の操作ができないからである。
次に、本考案に係る健康器具の使用である。
この健康器具（１）を布団やベッド（７）の上に置いて、使用する者（８）は横たわり、二個の球体（２）に腰つぼを押し当てる。ソフトボールの球３号程度の大きさであるから、布団やベッド（７）に沈み込んでも、治療の効果があがる。
また、東洋医学によると、腰部や背中に数個所のつぼがあり、また、実際上からも、使用する人（８）の体格に応じてつぼの位置が異なって来る。そこで、腰つぼを探して二つの球体（２）に押し当てる必要がある。
スイッチ（６）を押すと、コードストッパー（５）によって抑えられていた棒（３）を手動で操作することができるので、二個の球体（２）の間隔を調節して配置し固定することができる。
そうすると、腰部や背中等に広くあるつぼのみならず、首のつぼにも及び、また、左右のバランスもよくなるので、治療効果があがる。
【図１】
0003207044.tif 000003
【図２】
0003207044.tif 000004
(57)【要約】      （修正有）【課題】食肉スライサーに使用される刃に対して、物質の固着を防ぐ改善ができる刃を提供する。【解決手段】刃全体にポリエステル系樹脂コーティングを施す。【選択図】図１
0003207045.tif 000002
【実用新案登録請求の範囲】
【請求項１】
食肉スライサー用の刃全体をポリエステル系樹脂コーティングされたことを特徴とする刃
【考案の詳細な説明】
【技術分野】
【０００１】本考案は食肉スライサーの食肉を切る為に使用する刃に関するものである。
【背景技術】
【０００２】従来の食肉スライサーの刃はポリエステル系樹脂コーティングされていない刃である。
【考案の概要】
【考案が解決しようとする課題】
【０００３】食肉スライサーはその名の通り肉を切るための機器で、肉に油が含むため肉をスライスした後に刃に固着し肉が剥がれにくい。
【課題を解決するための手段】
【０００４】本考案は食肉スライサーの刃全体にポリエステル系樹脂でコーティングを施したものである。
【考案の効果】
【０００５】本考案を用いることで低摩耗性および潤滑性が高いため刃に物質が固着しない。【０００６】耐薬品性に優れていることから刃の洗浄の際、洗剤を気にせず使用ができる。【０００７】ポリエステル系樹脂コーティングの撥水性により濡れないため汚れにくくなる。【０００８】表面抵抗において、高絶縁抵抗を保つことができる。【０００９】刃の洗浄の際洗浄時間の短縮、洗浄に必要な水、洗剤の使用料を減少できる。【００１０】潤滑性が高いためモーターに負荷がかからないため省エネである。
【図面の簡単な説明】
【００１１】
【図１】本考案の施工状態を表す正面図である。
【図１】
0003207045.tif 000003